(57)【要約】【課題】花筒を使用しない時に花筒を取り外さなくても墓石と調和し、見栄えが良く、花筒及び花筒の落とし込み用の穴内に雨水が溜まることを防止出来る墓用花立てを提供することを目的とする。【解決手段】本体部と、本体部に被せる蓋部とを備え、本体部は花筒の下部を落とし込む落とし込み穴を有し、蓋部は、その裏面に、花筒を本体部の落とし込み穴に装着した状態のままで、当該花筒の上部を呑込む凹部を設けてあることを特徴とする墓用花立てとした。  本体部は、落とし込み穴の周囲に、蓋の凹部に嵌合する凸状段差部を形成し、蓋のずれを防止してある。【選択図】  図１
0003131684.tif 000002
【実用新案登録請求の範囲】
【請求項１】
本体部と、本体部に被せる蓋部とを備え、
本体部は花筒の下部を落とし込む落とし込み穴を有し、
蓋部は、その裏面に、花筒を本体部の落とし込み穴に装着した状態のままで、当該花筒の上部を呑込む凹部を設けてあることを特徴とする墓用花立て。
【請求項２】
本体部は、落とし込み穴の周囲に、蓋部の凹部に嵌合する凸状段差部を形成し、蓋部のずれを防止してあることを特徴とする請求項１記載の墓用花立て。
【請求項３】
本体部及び蓋部は石製であることを特徴とする請求項１又は２記載の墓用花立て。
【考案の詳細な説明】
【技術分野】
【０００１】
本考案は、墓用花立てに関する。
【背景技術】
【０００２】
花立てに設けた落とし込み穴に、有底筒形の金属製花筒を落とし込んで、水の入れ替えや清掃の際には花筒を取り出すことができる技術は公知である。
しかし、この種の花筒は花の取り替えや、取り外しがしやすいように花筒の上部が花立てから露出しているのが一般的であり、そのままでは雨水が溜まって汚れたり、溜まった水にボウフラが発生したりして不衛生となったり、あるいは、冬季の水の凍結で花立てを形成する石材を傷めてしまう恐れがあった。
そこで従来は、図５（ａ）に示すように花筒１０１に蓋１０２を設けたり、あるいは、図５（ｂ）に示すように花筒を取り出して落とし込み穴１２１に簡単な蓋１３０で覆っていた。
しかし、図５（ａ）のように花筒１０１に蓋１０２を設けると、花を生けていない花筒１０１は石製の墓と質感が異なるため、墓全体の見栄えを損なう問題があった。
また、露出したままの花筒１０１は簡単に持ち去られてしまう恐れがあった。
一方、落とし込み穴１２１を覆う蓋１３０を設けた場合には、花筒１０１を持ち帰って別の場所に保管する必要があり、また、蓋１３０も花立て１１０に載せただけの簡単なもので位置ずれしやすかった。
さらには、いずれの場合にも落とし込み穴１２１に水が入りやすく、落とし込み穴１２１内での水の凍結で花立て１２０を傷める恐れがあった。
実用新案登録第３０４３０９３号公報には、花筒を落とし込むための穴を塞ぐ蓋を開示するが、蓋を用いる際には花筒を別の場所に保管する必要があり、また、蓋のあわせ目を伝って雨水が穴内に入る恐れがあった。
【０００３】
【特許文献１】実用新案登録第３０４３０９３号公報
【考案の開示】
【考案が解決しようとする課題】
【０００４】
本考案は上記技術的課題に鑑みて、花筒を使用しない時に花筒を取り外さなくても墓石と調和し、見栄えが良く、花筒及び花筒の落とし込み用の穴内に雨水が溜まることを防止出来る墓用花立てを提供することを目的とする。
【課題を解決するための手段】
【０００５】
本考案の墓用花立ては、本体部と、本体部に被せる蓋部とを備え、本体部は花筒の下部を落とし込む落とし込み穴を有し、蓋部は、その裏面に、花筒を本体部の落とし込み穴に装着した状態のままで、当該花筒の上部を呑込む凹部を設けてあることを特徴とする。
【０００６】
花筒の上部を呑込む凹部とは、落とし込み穴から出ている花筒上部をそのまま呑み込み、本体部に載置できるように蓋部裏面を凹ませる意味であり、花筒を本体部の落とし込み穴に装着した状態で蓋部を花筒に被せることで、花筒を取り出さなくても花筒が外部に露出しないようにする趣旨である。
また、蓋部は花筒の上部を呑み込むように花立てに被さるので花筒の上部に干渉してずれない。
【０００７】
請求項２記載の墓用花立ては、本体部は、落とし込み穴の周囲に、蓋部の凹部に嵌合する凸状段差部を形成し、蓋部のずれを防止してあることを特徴とする。
【０００８】
請求項３記載の墓用花立ては、本体部及び蓋部は石製であることを特徴とする。
【考案の効果】
【０００９】
本考案に係る墓用花立ては、蓋部を被せることで本体部に装着した花筒上部を蓋部で呑み込んで花立て内に格納するため、使用しない時の花筒を別の場所に保管することなく花筒及び落とし込み穴に雨水が溜まることを防ぎ、花筒の汚れやボウフラの発生を防止出来る。
また、花筒を蓋部で覆うことで、花を生けていない花筒を隠して墓の見栄えを良くし、簡単に花筒が持ち去られることを防止出来る。
特に本体部と蓋部とを共に石製にすることで、墓全体の質感が揃い、美観が向上する。
【００１０】
蓋部を本体部の落とし込み穴口の周囲に設けた凸状段差部に嵌合させると、蓋部と本体部の合わせ目がずれることを防止出来る。
また、この凸状段差部の段差により、雨水の落とし込み穴への流入を更に防止出来る。
【考案を実施するための最良の形態】
【００１１】
本考案に係る墓用花立て１０の説明図を図１に示す。
墓用花立て１０は、いずれも石製の本体部２０と、本体部２０に被せる蓋部３０とを備えている。
本体部２０は花を生けるための花筒１の下部を落とし込んで墓に据え付けるための落とし込み穴２１を有している。
花筒１は、ＳＵＳ製等の金属製で有底筒形に形成してあり、上部の挿入口２から花卉の茎を挿し込んだり、挿入口２から水を注ぐ。
図２（ａ）に、花筒１を落とし込み穴２１に落とし込んで本体部２０に装着した状態を示す。
落とし込み穴２１は、本体部２０の蓋部３０との嵌合面２０ａを穿って形成した上向き開口穴であり、つば部４を落とし込み穴口２２の縁部に掛けて花筒１の水溜部３を穴底面２３から浮かせるようにする等して花筒１の下部を落とし込んで嵌める。
これにより、挿入口２を含む花筒１の上部を例えば全体の１／６〜半分程度外部に露出させて嵌脱自在に保持する。
落とし込み穴２１には、外部に連通する水抜き孔２６が設けてある。
図３（ａ）に、墓７に設置した本体部２０に花筒１を装着し、花卉５を花筒１に生けた状態を示す。
図２（ｂ）は、花筒１を本体部２０に装着した状態で蓋部３０を本体部２０に被せた状態を示す。
蓋部３０は、天板部３１と天板周縁部３１ａを下垂させた側壁部３２とを有して、天板部３１と側壁部３２で囲む内側に、蓋部裏面３０ａに開口する呑込凹部３４を設けてある。
蓋部３０は、図１に示す側壁部３２の下端の凹部周縁部３３を本体部２０に被せることで落とし込み穴口２２を囲んで本体部嵌合面２０ａに接触させて、花筒１の上部の露出部分を呑込凹部３４内に呑込んで覆うように形成してある。
従って、本体部２０に後述する凸状段差部２４を設けない場合にあっても蓋部の呑込凹部３４と花筒の上部が嵌合しているので蓋部がずれることはない。
本体部２０の落とし込み穴口２２の周囲には、落とし込み穴口２２を周方向に囲み、本体部嵌合面２０ａの外縁側に対して上向きの段差２５を有する凸状段差部２４が形成してある。
この凸状段差部２４は、蓋部３０を本体部２０に被せた時に蓋部３０の呑込凹部３４に嵌合するように形成してある。
これにより、花筒を取り外した場合にあっても本体部３０に被せた蓋部３０の合わせ目がずれることを防止する。
また、このように凸状段差部２４を設けることで、本体部２０と蓋部３０との合わせ目を外側から伝ってくる雨水をこの凸状段差部２４の段差２５で堰き止めて落とし込み穴２１に雨水が入るのを防止出来る。
図３（ｂ）に、墓７に設置した本体部２０に、花筒１を装着した状態で蓋部３０を被せた状態を示す。
このように花立て１０は、花筒１を装着した本体部２０に蓋部３０を被せることによって、花筒１及び落とし込み穴２１に雨水が溜まることを防止出来る。
また、花卉を生けていない時の花筒１を本体部２０同様に石材で形成された蓋部３０で覆い隠すことで、墓７全体の見栄えを良く出来る。
【００１２】
花立て１０の形状は限定されるものではなく、図１に示す平面視正方形状の他に、例えば図４（ａ）に示す花立て１０ａのように平面視円形状のものや、図４（ｂ）に示す花立て１０ｂのように平面視正六角形状のもの等でも良い。
【図面の簡単な説明】
【００１３】
【図１】本考案に係る墓用花立ての説明図を示す。
【図２】（ａ）は本体部の落とし込み穴に花筒を落とし込んで装着した状態の説明図を示し、（ｂ）は花筒を本体部に装着した状態で蓋部を本体部に被せた状態の説明図を示す。
【図３】（ａ）は墓に設置した本体部に花筒を装着して、花卉を花筒に生けた状態の説明図を示し、（ｂ）は墓に設置した本体部に花筒を装着し、蓋部を被せた状態の説明図を示す。
【図４】別の花立ての実施例を示す。
【図５】従来の花立てを示す。
【符号の説明】
【００１４】
１      花筒
２      挿入口
３      水溜部
４      つば部
５      花卉
６      茎
７      墓
１０、１０ａ、１０ｂ  墓用花立て
２０    本体部
２０ａ  本体部嵌合面
２１    落とし込み穴
２２    落とし込み穴口
２３    穴底面
２４    凸状段差部
２５    段差
２６    水抜き孔
３０    蓋部
３０ａ  蓋部裏面
３１    天板部
３１ａ  天板周縁部
３２    側壁部
３３    凹部周縁部
３４    呑込凹部
【図１】
0003131684.tif 000003
【図２】
0003131684.tif 000004
【図３】
0003131684.tif 000005
【図４】
0003131684.tif 000006
【図５】
0003131684.tif 000007